(57)【要約】  二軸スクリュ押出機での溶液の脱揮処理における脱揮性能予測装置であって、揮発性物質を含有する非揮発性物質の溶液を搬送するスクリュ２００上における脱揮処理の対象となる脱揮領域６００に存在する該溶液の流動状態に関する情報を、該スクリュ溝における前記搬送方向上流側の溝面上に存在する溶液７００と、スクリュ２００とバレル１００の隙間に存在する溶液８００と、該スクリュ溝における前記搬送方向下流側の溝面上に存在する溶液９００との流動状態に基づいて算出する流動状態算出手段１０１と、前記スクリュ２００上に存在する溶液の流動状態に基づいて算出される前記流動状態に関する情報に基づいて、前記脱揮処理における脱揮性能を予測する脱揮性能予測手段１０２とを備えてなる。
2008035541.tif 000002
【特許請求の範囲】
【請求項１】
二軸スクリュ押出機での溶液の脱揮処理における脱揮性能予測装置であって、
揮発性物質を含有する非揮発性物質の溶液を搬送するスクリュ（２００）上における脱揮処理の対象となる脱揮領域（６００）に存在する該溶液の流動状態に関する情報を、該スクリュ溝における前記搬送方向上流側の溝面上に存在する溶液（７００）と、スクリュ（２００）とバレル（１００）の隙間に存在する溶液（８００）と、該スクリュ溝における前記搬送方向下流側の溝面上に存在する溶液（９００）との流動状態に基づいて算出する流動状態算出手段（１０１）と、
前記スクリュ（２００）上に存在する溶液の流動状態に基づいて算出される前記流動状態に関する情報に基づいて、前記脱揮処理における脱揮性能を予測する脱揮性能予測手段（１０２）と
を備えてなる脱揮性能予測装置。
【請求項２】
請求項１に記載の脱揮性能予測装置において、
前記脱揮性能予測手段（１０２）は、
Lを脱揮領域（６００）における揮発性物質を含有する非揮発性物質溶液の流路長さ、L2を脱揮領域のスクリュ軸方向における長さ、C0を脱揮領域入口における揮発性物質濃度、C*を脱揮が行なわれる圧力温度条件下の揮発性物質と非揮発性物質の気液平衡濃度、CLを脱揮後の揮発性物質濃度、K1を脱揮領域で滞留する時間内に表面更新流で形成される暴露表面の長さと表面更新を考慮しない形状における暴露表面長さとの比率、K2をバレル（１００）とスクリュ（２００）の隙間の平均流速により暴露表面が更新される時間と脱揮領域で滞留する時間との比率、K3をスクリュ噛合部における周速により暴露表面が更新される時間と脱揮領域で滞留する時間との比率、ρを揮発性物質を含有する非揮発性物質の溶液密度、S1をスクリュ溝に充満している揮発性物質を含有する非揮発性物質溶液の充満率を考慮し且つ表面更新を考慮しない形状における暴露表面長さ、S2をバレル内表面長さ、S3をスクリュ溝における前記溶液が充満していない部分の総括長さ、Ddを揮発性物質を含有した非揮発性物質の溶液中における揮発性物質の拡散係数、Nをスクリュ回転速度、ｎをスクリュフライト条数、βをバレル（１００）とスクリュ（２００）の隙間に形成される溶液の薄膜の形成効率、γをスクリュ溝における前記溶液が充満していない部分に形成される溶液の薄膜の形成効率、Qを全体処理量とするとき、
Ln(C0-C*)/(CL-C*)＝(K1(2n-1)ρS1L(DdN)1/2＋βK2ρS2L2(DdN)1/2＋γK3ρS3L(DdN)1/2)/Q
に基づいて、前記脱揮処理における脱揮性能を予測する脱揮性能予測装置。
【請求項３】
請求項２に記載の脱揮性能予測装置において、
前記流動状態算出手段（１０１）は、
Fをスクリュフライトに沿って流れる前記溶液の推進流速、Eを表面更新流の流速、θをスクリュフライトの螺旋角度とするとき、
該スクリュ溝における前記搬送方向上流側の溝面上に存在する溶液（７００）の流動状態を、
K1＝(EL/F)/S1
E＝πDNsinθ/2
F＝πDNcosθ/2
に基づいて算出する脱揮性能予測装置。
【請求項４】
請求項２に記載の脱揮性能予測装置において、
前記流動状態算出手段（１０１）は、
Fをスクリュフライトに沿って流れる前記溶液の推進流速、Gをスクリュチップ部の平均周速度、Wを２軸の軸間距離とするとき、
スクリュ（２００）とバレル（１００）の隙間に存在する溶液（８００）の流動状態を、
K2＝(L/F)/(S2/2G)
S2＝2πD(360−2cos-1(W/D))/360
G＝nπDN/2
に基づいて算出する脱揮性能予測装置。
【請求項５】
請求項２に記載の脱揮性能予測装置において、
前記流動状態算出手段（１０１）は、
Fをフライトに沿って流れる推進流速、Iをスクリュ噛合い部の周速とするとき、
前記スクリュ溝における前記搬送方向下流側の溝面上に存在する溶液（９００）の流動状態を、
K3＝(L/F)/(S3/I)
I＝nπDN
に基づいて算出する脱揮性能予測装置。
【請求項６】
二軸スクリュ押出機での溶液の脱揮処理における脱揮性能予測方法であって、
揮発性物質を含有する非揮発性物質の溶液を搬送するスクリュ（２００）上における脱揮処理の対象となる脱揮領域（６００）に存在する該溶液の流動状態に関する情報を、該スクリュ溝における前記搬送方向上流側の溝面上に存在する溶液（７００）と、スクリュ（２００）とバレル（１００）の隙間に存在する溶液（８００）と、該スクリュ溝における前記搬送方向下流側の溝面上に存在する溶液（９００）との流動状態に基づいて算出し、
前記スクリュ（２００）上に存在する溶液の流動状態に基づいて算出される前記流動状態に関する情報に基づいて、前記脱揮処理における脱揮性能を予測する脱揮性能予測方法。
【請求項７】
請求項６に記載の脱揮性能予測方法において、
Lを脱揮領域（６００）における揮発性物質を含有する非揮発性物質溶液の流路長さ、L2を脱揮領域のスクリュ軸方向における長さ、C0を脱揮領域入口における揮発性物質濃度、C*を脱揮が行なわれる圧力温度条件下の揮発性物質と非揮発性物質の気液平衡濃度、CLを脱揮後の揮発性物質濃度、K1を脱揮領域で滞留する時間内に表面更新流で形成される暴露表面の長さと表面更新を考慮しない形状における暴露表面長さとの比率、K2をバレル（１００）とスクリュ（２００）の隙間の平均流速により暴露表面が更新される時間と脱揮領域で滞留する時間との比率、K3をスクリュ噛合部における周速により暴露表面が更新される時間と脱揮領域で滞留する時間との比率、ρを揮発性物質を含有する非揮発性物質の溶液密度、S1をスクリュ溝に充満している揮発性物質を含有する非揮発性物質溶液の充満率を考慮し且つ表面更新を考慮しない形状における暴露表面長さ、S2をバレル内表面長さ、S3をスクリュ溝における前記溶液が充満していない部分の総括長さ、Ddを揮発性物質を含有した非揮発性物質の溶液中における揮発性物質の拡散係数、Nをスクリュ回転速度、ｎをスクリュフライト条数、βをバレル（１００）とスクリュ（２００）の隙間に形成される溶液の薄膜の形成効率、γをスクリュ溝における前記溶液が充満していない部分に形成される溶液の薄膜の形成効率、Qを全体処理量とするとき、
Ln(C0-C*)/(CL-C*)＝(K1(2n-1)ρS1L(DdN)1/2＋βK2ρS2L2(DdN)1/2＋γK3ρS3L(DdN)1/2)/Q
に基づいて、前記脱揮処理における脱揮性能を予測する脱揮性能予測方法。
【請求項８】
請求項７に記載の脱揮性能予測方法において、
Fをスクリュフライトに沿って流れる前記溶液の推進流速、Eを表面更新流の流速、θをスクリュフライトの螺旋角度とするとき、
該スクリュ溝における前記搬送方向上流側の溝面上に存在する溶液（７００）の流動状態を、
K1＝(EL/F)/S1
E＝πDNsinθ/2
F＝πDNcosθ/2
に基づいて算出する脱揮性能予測方法。
【請求項９】
請求項７に記載の脱揮性能予測方法において、
Fをスクリュフライトに沿って流れる前記溶液の推進流速、Gをスクリュチップ部の平均周速度、Wを２軸の軸間距離とするとき、
スクリュ（２００）とバレル（１００）の隙間に存在する溶液（８００）の流動状態を、
K2＝(L/F)/(S2/2G)
S2＝2πD(360−2cos-1(W/D))/360
G＝nπDN/2
に基づいて算出する脱揮性能予測方法。
【請求項１０】
請求項７に記載の脱揮性能予測方法において、
Fをフライトに沿って流れる推進流速、Iをスクリュ噛合い部の周速とするとき、
前記スクリュ溝における前記搬送方向下流側の溝面上に存在する溶液（９００）の流動状態を、
K3＝(L/F)/(S3/I)
I＝nπDN
に基づいて算出する脱揮性能予測方法。
【発明の詳細な説明】
【技術分野】
【０００１】
本発明は、二軸スクリュ押出機での脱揮処理における脱揮性能の予測方法に関するものである。
【背景技術】
【０００２】
従来、スクリュ式押出機の脱揮操作における脱揮性能予測方法として、以下の式（１）に示すLatinenのモデル式が一般的に活用されている。
Ln(C0−C* )/(CL−C* )＝KρSL(DdN)1/2/Q  ・・・（１）
ここで  C0は脱揮領域入口の（脱揮直前の）揮発性物質濃度(ppm)，CLは脱揮後の揮発性物質濃度(ppm)，C*は脱揮が行なわれる圧力温度条件下の揮発性物質と非揮発性物質（ポリマーやゴムなどの溶液）の気液平衡濃度(ppm)，Kは物質移動係数，ρは揮発性物質を含有した非揮発性物質の溶液密度(kg/m3)，Sは押出機スクリュフライトに直角な断面における揮発性物質を含有した非揮発性物質の溶液の境膜表面長さ(m)，Lは脱揮領域の揮発性物質を含有した非揮発性物質の溶液の流路長さ(m)，Ddは揮発性物質を含有した非揮発性物質の溶液中における揮発性物質の拡散係数(m2/s)，Nはスクリュ回転速度(s-1)，Qは全体処理量(kg/s)である。【０００３】
図１６は、従来の二軸スクリュ押出機の概略構成を示す図である。このLatinenのモデル式は、図１６に示すような二軸スクリュ押出機の脱揮領域で、スクリュの回転により更新された揮発性物質を含有した非揮発性物質の境膜（暴露表面層）の総括面積と揮発性物質の非揮発性物質からの拡散速度との積、すなわち脱揮処理された揮発性物質を含有した非揮発性物質の重量と全体の揮発性物質を含有した非揮発性物質の重量の比率により、脱揮後の残存揮発性物質の濃度を予測するものである。【０００４】
図１６において、１００は加熱冷却可能なバレル、２００はスクリュ、３００はベント（分離した揮発性物質を除去する開口部）、４０１および ４０２は混練スクリュ、５０１および ５０２は揮発性物質を含有した非揮発性物質がバレル内に完全に充満した部分、６００は揮発性物質を含有した非揮発性物質が非充満状態で流動している部分（脱揮領域）を示す。【０００５】
このLatinenのモデル式におけるC0，C*，CL，ρ，Ddは，非揮発性物質，揮発性物質，または揮発性物質を含有した非揮発性物質溶液の特性因子であり、N，Qは押出機の操作因子である。これら因子は、脱揮操作の環境や条件により変化する因子である。【０００６】
また、このLatinenのモデル式における「SL(DdN)1/2」は、「SL(Dd/(1/N))1/2」と置換することができ、単位時間あたりにバレルとスクリュに形成された揮発性物質を含有した非揮発性物質溶液の暴露表面層と考えることができる。
【発明の開示】
【発明が解決しようとする課題】
【０００７】
しかし、二軸スクリュ押出機では、揮発性物質を含有した非揮発性物質の溶液が、スクリュ内で絶え間なく流動しており、脱揮領域でスクリュの回転によりバレルとスクリュに形成される溶液の形状および暴露表面層は、絶え間なく変化している。【０００８】
このLatinenのモデル式では、溶液の流動挙動が考慮されておらず、表面更新挙動による脱揮性能を正確に予測することができない。【０００９】
本発明は上述した問題点を解決するためになされたものであり、二軸スクリュ押出機での脱揮性能の予測において、適応性が高く、より正確な脱揮性能予測を実現することのできる技術を提供することを目的とする。
【課題を解決するための手段】
【００１０】
上述した課題を解決するため、本発明の一態様に係る脱揮性能予測装置は、二軸スクリュ押出機での溶液の脱揮処理における脱揮性能予測装置であって、揮発性物質を含有する非揮発性物質の溶液を搬送するスクリュ（２００）上における脱揮処理の対象となる脱揮領域（６００）に存在する該溶液の流動状態に関する情報を、該スクリュ溝における前記搬送方向上流側の溝面上に存在する溶液（７００）と、スクリュ（２００）とバレル（１００）の隙間に存在する溶液（８００）と、該スクリュ溝における前記搬送方向下流側の溝面上に存在する溶液（９００）との流動状態に基づいて算出する流動状態算出手段（１０１）と、前記スクリュ（２００）上に存在する溶液の流動状態に基づいて算出される前記流動状態に関する情報に基づいて、前記脱揮処理における脱揮性能を予測する脱揮性能予測手段（１０２）とを備えてなることを特徴とするものである。【００１１】
また、本発明に係る脱揮性能予測方法は、二軸スクリュ押出機での溶液の脱揮処理における脱揮性能予測方法であって、揮発性物質を含有する非揮発性物質の溶液を搬送するスクリュ（２００）上における脱揮処理の対象となる脱揮領域（６００）に存在する該溶液の流動状態に関する情報を、該スクリュ溝における前記搬送方向上流側の溝面上に存在する溶液（７００）と、スクリュ（２００）とバレル（１００）の隙間に存在する溶液（８００）と、該スクリュ溝における前記搬送方向下流側の溝面上に存在する溶液（９００）との流動状態に基づいて算出し、前記スクリュ（２００）上に存在する溶液の流動状態に基づいて算出される前記流動状態に関する情報に基づいて、前記脱揮処理における脱揮性能を予測することを特徴とするものである。
【図面の簡単な説明】
【００１２】
【図１】本実施の形態による脱揮性能予測装置Ｍについて説明するための機能ブロック図である。
【図２】スクリュ１ピース当たりの流路図である。
【図３】スクリュ軸直角断面においてバレルとスクリュに形成される揮発性物質を含有した非揮発性物質溶液の充満状態図である。
【図４】表面更新を考慮しない場合のスクリュ溝に存在する揮発性物質を含有した非揮発性物質溶液の充満状態をスクリュフライト直角断面から模式化した図である。
【図５】スクリュフライト直角においてバレルとスクリュ溝に形成される揮発性物質を含有した非揮発性物質溶液の充満状態の分割図である。
【図６】スクリュ溝における揮発性物質を含有した非揮発性物質溶液の流動状態の模式図である。
【図７】バレルとスクリュの隙間（チップ部）における揮発性物質を含有した非揮発性物質溶液の形成および流動状態の模式図である。
【図８】実験装置の概略構成を示す図である。
【図９】実験に使用したスクリュ形状を示す図である。
【図１０】実験結果を示す図である。
【図１１】ポリエチレンとｎ−ヘキサンの気液平衡濃度図である。
【図１２】ポリエチレンとｎ−ヘキサンの気液平衡濃度の温度依存性図である。
【図１３】実施結果からｎ−ヘキサンの拡散速度を変化させ算出した本予測式の左項と右項の相関関係図である。
【図１４】実施結果からポリマー溶液の充満形成効率を変化させ算出した本予測式の左項と右項の相関関係図である。
【図１５】本実施の形態による脱揮性能予測装置Ｍにおける処理（脱揮性能予測方法）の流れについて説明するためのフローチャートである。
【図１６】従来の二軸スクリュ押出機の概略構成を示す図である。
【発明を実施するための最良の形態】
【００１３】
以下、本発明の実施の形態について図面を参照しつつ説明する。本実施の形態による脱揮性能予測装置Ｍは、図１６に示した構成と同様な構成を有する二軸スクリュ押出機に対して適用されるものであるため、以下本実施の形態では、上記従来技術にて述べた部分と同様な部分については同一符号を付し、説明は割愛する。【００１４】
図１は、本実施の形態による脱揮性能予測装置Ｍについて説明するための機能ブロック図である。同図に示すように、本実施の形態による脱揮性能予測装置Ｍは、流動状態算出手段１０１、脱揮性能予測手段１０２、ＣＰＵ８０１およびＭＥＭＯＲＹ８０２を備えており、二軸スクリュ押出機での溶液の脱揮処理における脱揮性能予測を行なう。【００１５】
流動状態算出手段１０１は、揮発性物質を含有する非揮発性物質の溶液を搬送するスクリュ２００上における脱揮処理の対象となる脱揮領域６００に存在する該溶液の流動状態に関する情報を、該スクリュ溝における搬送方向上流側の溝面上に存在する溶液７００と、スクリュ２００とバレル１００の隙間に存在する溶液８００と、該スクリュ溝における搬送方向下流側の溝面上に存在する溶液９００との流動状態に基づいて算出する機能を有している。【００１６】
脱揮性能予測手段１０２は、スクリュ２００上に存在する溶液の流動状態に基づいて算出される流動状態に関する情報に基づいて、脱揮処理における脱揮性能を予測する機能を有している。なお、脱揮性能予測手段１０２における脱揮性能の予測方法の詳細については後述する。【００１７】
ＣＰＵ８０１は、脱揮性能予測装置Ｍにおける各種処理を行なう役割を有しており、またＭＥＭＯＲＹ８０２に格納されているプログラムを実行することにより種々の機能を実現する役割も有している。ＭＥＭＯＲＹ８０２は、例えばＲＯＭやＲＡＭ等から構成されており、脱揮性能予測装置Ｍにおいて利用される種々の情報やプログラムを格納する役割を有している。【００１８】
脱揮領域において、揮発性物質を含有した非揮発性物質溶液は、スクリュ溝を非充満状態で流動している。揮発性物質を含有した非揮発性物質溶液のフライトに沿った流路長さは、図２に示すように完全に噛合った二軸スクリュのスクリュ１ピース当たりの流路Ｌ1を次式から求め、図１６に示す脱揮領域を構成しているスクリュのポリマー流路を総括したものである。
L1＝(3/4＋2B)C/n  ・・・（２）
B＝(90−cos-1(W/D))/360  ・・・（３）
C＝π(D−H)/cosθ  ・・・（４）
ここで、nはスクリュフライト条数、Dはシリンダ内径(m)、Wは２軸の軸間距離(m)、Hはスクリュ溝深さ(m)、θはスクリュフライトの螺旋角度(deg.)である。【００１９】
スクリュ軸に直角な断面にて溶液の流動状態を考えると、２条フライトスクリュの場合、図３に示すように、溶液は３箇所に分割され流動していることになる。【００２０】
図４は、表面更新を考慮しない場合のスクリュ溝に存在する揮発性物質を含有した非揮発性物質溶液の充満状態をスクリュフライトに直交する断面から模式化したものである。スクリュ溝に存在する揮発性物質を含有した非揮発性物質の溶液の充満状態は、スクリュ溝に存在する流動形態の違う以下の３つの形状から形成されている。
(1)スクリュ溝における搬送方向上流側の溝面（溶液が充満している部分）上に存在する溶液の形状
(2)スクリュとバレルの隙間（チップ部）に形成される薄膜形状
(3)スクリュ溝における溶液が充満していない部分に形成される薄膜形状【００２１】
これら３つの形状を図５のように分割して、それぞれの表面更新効率を考慮した次式にすることにより、脱揮性能予測手段１０２は、暴露表面積をより明確化した脱揮性能を予測することができる。
Ln(C0-C*)/(CL-C*)＝(K1(2n-1)ρS1L(DdN)1/2＋βK2ρS2L2(DdN)1/2＋γK3ρS3L(DdN)1/2)/Q  ・・・（５）
ここで、Lを脱揮領域（６００）における揮発性物質を含有する非揮発性物質（ポリマーやゴムなどの溶液）溶液の流路長さ(m)、L2を脱揮領域のスクリュ軸方向における長さ、C0を脱揮領域入口における揮発性物質濃度(ppm)、C*を脱揮が行なわれる圧力温度条件下の揮発性物質と非揮発性物質の気液平衡濃度(ppm)、CLを脱揮後の揮発性物質濃度(ppm)、K1を脱揮領域で滞留する時間内に表面更新流で形成される暴露表面の長さと表面更新を考慮しない形状における暴露表面長さとの比率（表面更新効率１）、K2をバレル（１００）とスクリュ（２００）の隙間の平均流速により暴露表面が更新される時間と脱揮領域で滞留する時間との比率（表面更新効率２）、K3をスクリュ噛合部における周速により暴露表面が更新される時間と脱揮領域で滞留する時間との比率（表面更新効率３）、ρを揮発性物質を含有する非揮発性物質の溶液密度(kg/m3)、S1をスクリュ溝に充満している揮発性物質を含有する非揮発性物質溶液の充満率を考慮し且つ表面更新を考慮しない形状における暴露表面長さ(m)、S2をバレル内表面長さ(m)、S3をスクリュ溝における溶液が充満していない部分の長さ(m)、Ddを揮発性物質を含有した非揮発性物質の溶液中における揮発性物質の拡散係数(m2/s)、Nをスクリュ回転速度(s-1)、ｎをスクリュフライト条数、βをバレル（１００）とスクリュ（２００）の隙間（チップ部）に形成される溶液の薄膜の形成効率、γをスクリュ溝における溶液が充満していない部分に形成される溶液の薄膜の形成効率、Qを全体処理量(kg/s)とする。【００２２】
図４に示す流動形態の違う３つの形状を、図５のように分割して考える。【００２３】
（１）スクリュ溝における搬送方向上流側の溝面上に存在する溶液の形状
スクリュ溝内の揮発性物質を含有した非揮発性物質溶液の流動状態を図６に示すように単純化した場合、スクリュの回転速度に伴いスクリュのフライトに沿って流れる速度と、スクリュフライトに垂直に流れる速度に分割される。そして、スクリュフライトに沿って流れる速度が推進流速F(m/s)とし、揮発性物質を含有した非揮発性物質溶液の脱揮領域における滞留時間を決める。
一方、垂直に流れる速度を表面更新流速E(m/s)と考え、脱揮領域を滞留する時間内に表面更新流で形成される暴露表面の長さを導出する。この長さとスクリュ溝に充満している溶液の充満率を考慮し、表面更新を考慮しない形状における暴露表面長さS1(m)との比率を表面更新効率K1とし次式とする。
K1＝(EL/F)/S1  ・・・（６）
E＝πDNsinθ/2  ・・・（７）
F＝πDNcosθ/2  ・・・（８）
ここで、Lは脱揮領域の揮発性物質を含有した非揮発性物質溶液の流路長さ(m)、Dはシリンダ内径(m)、Nはスクリュ回転速度(s-1)、θはスクリュフライトの螺旋角度(deg.)である。【００２４】
（２）スクリュとバレルの隙間に存在する溶液の形状
スクリュ２００とバレル１００の隙間に存在する溶液８００の薄膜は、図７に示すように、スクリュフライトのチップ部における平均周速度G(m/s)に影響を受け、チップ部の平均流速によりポリマー溶液の薄膜は更新される。チップ部の平均流速で更新する時間と脱揮領域を滞留する時間の比率を表面更新効率K2とし次式とする。
K2＝(L/F)/(S2/2G)   ・・・（９）
S2＝2πD(360−2cos-1(W/D))/360   ・・・（１０）
G＝nπDN/2  ・・・（１１）
ここで、Lは脱揮領域の揮発性物質を含有した非揮発性物質溶液の流路長さ(m)、Fはスクリュフライトに沿って流れる溶液の推進流速(m/s)、S2はバレル内表面長さ(m)、Dはシリンダ内径(m)、Wは２軸の軸間距離(m)、nはスクリュフライト条数、Nはスクリュ回転速度(s-1)である。【００２５】
（３）スクリュ溝における搬送方向下流側の溝面上に存在する溶液の形状
スクリュの溝底に形成した薄膜もスクリュフライトの周速度の影響を受け二軸スクリュの噛合い部分で更新される。スクリュ噛合い部の周速I(m/s)で更新する時間と脱揮領域を滞留する時間の比率を表面更新効率K3とし次式とする。
K3＝(L/F)/(S3/I)   ・・・（１２）
I＝nπDN  ・・・（１３）
ここで、Lは脱揮領域の揮発性物質を含有した非揮発性物質溶液の流路長さ(m)、Fはスクリュフライトに沿って流れる推進流速(m/s)，S3はスクリュ溝底部の揮発性物質を含有した非揮発性物質溶液の非充満部の総括長さ(m)、nはスクリュフライト条数、Dはシリンダ内径(m)、Nはスクリュ回転速度(s-1)である。【００２６】
実験装置を図８に示す。揮発性物質を含む実験用模擬材を調合するためにメルター用押出機を上段に設置し、下段に脱揮実験のための脱揮用二軸スクリュ押出機を配置した。メルター用押出機では、ポリマーペレットを定量供給フィーダー１７０で供給後に溶融し、揮発性物質となる溶媒をプランジャーポンプ１８０で定量供給後、十分に溶解分散させる。このように調合されたポリマー溶液を脱揮用押出機１６０に供給した。【００２７】
脱揮用二軸押出機１６０は、（株）日本製鋼所製、噛合い型同方向回転式二軸スクリュ押出機（TEX65αII）で、ベント口は１箇所設置されている。図９に実験に使用したスクリュ
形状を示す。脱揮領域の長さがL/Dで約10.5のNo.1スクリュと、約14のNo.2スクリュの２つの形状にて比較検討を実施した。両スクリュ形状とも脱揮領域は２条フライトで構成されている。【００２８】
実験原料として、ポリマーは低密度ポリエチレン（ＬＤＰＥ：ＭＩ＝２／ペレット形状）、揮発性物質にｎ−ヘキサンを使用し、ポリマー溶液中のｎ−ヘキサン濃度が0.3 wt%、ポリマー溶液温度が190 ℃になるようメルター押出機１５０で調合し脱揮用二軸スクリュ押出機１６０に供給した。ポリマー溶液温度は、メルター用押出機と脱揮用二軸スクリュ押出機を繋ぐポリマー配管に設置している熱電対式の樹脂温度計２０００で測定した。【００２９】
脱揮条件は、処理量Qを150，250 kg/hに変化させる２水準、処理量150 kg/hの場合Q/Nを0.75，1.00，1.50に変化させる３水準、処理量250 kg/hの場合Q/Nを1.00，1.50に変化させる２水準とし合計５水準とした。バレル温度は全体的に200 ℃に保温し、真空度は4×10-3 MPaに制御した。脱揮用押出機先端に配備したダイヤフラム式圧力計２２０で押出機から押出されるポリマー溶液の圧力測定を実施し、また、押出機から吐出されたポリマー溶液の温度を、熱電対式のハンディータイプの温度計で測定した。吐出したポリマー溶液をサンプリングし、ガスクロマトグラフ法により揮発性物質の濃度を測定した。【００３０】
実験結果を図１０に示す。図１０の実験結果から本予測式の適応性を確認した。
Ln(C0-C*)/(CL-C*)＝(K1(2n-1)ρS1L(DdN)1/2＋βK2ρS2L2(DdN)1/2＋γK3ρS3L(DdN)1/2)/Q  ・・・（５）
【００３１】
まず、本予測式の左項について、C0とCLは実験結果から分かる。C*について、ポリエチレンとｎ−ヘキサンのヘンリー定数H(MPa)から次式より図１１に示す平衡濃度図を求め、さらに，真空度4×10-3 MPa時のポリマー溶液温度に対する平衡濃度を算出し、図１２にまとめた。
C*＝P/H  ・・・（１４）
ここで，Pは脱揮領域での真空度(MPa)である。【００３２】
また、輸送中のポリマーの昇温は僅かであるため、脱揮領域におけるポリマー溶液温度は吐出樹脂温度と同等と仮定し、各条件における平衡濃度を求めた。【００３３】
次に、本予測式の右項について、脱揮領域を形成しているスクリュ構成から非充満部となる各スクリュのポリマー流路を求め総括し、脱揮領域のポリマー溶液流路長さLとした。一方、L2については、バレル１００とスクリュ２００の隙間に形成されたポリマー溶液形状なので、スクリュ２００のポリマー溶液流路に起因するものではないため，脱揮領域のスクリュ軸方向における長さとした。【００３４】
揮発性物質が少ないためポリマー溶液の密度ρは、ポリエチレンの溶融密度750kg/m3 を使用した。【００３５】
ポリマー溶液の粘度差による薄膜形成状態を考えると、一般に，ポリマー溶液の粘度が低い場合、バレルとスクリュの隙間、およびスクリュ間の隙間に完全にポリマー溶液の薄膜が形成されていることが予測される。しかし、粘度が高い場合、バレルとスクリュの隙間、およびスクリュ間の隙間にどの程度ポリマー溶液の薄膜が形成されるか明確ではない。そこで、以下の２つ手法により本予測式の評価を行なった。【００３６】
（ａ）バレルとスクリュの隙間，およびスクリュ間の隙間に完全に薄膜が形成される場合（ポリマー溶液の粘度が低く，充満効率β，γが1となる場合）
ポリマーからの揮発性物質の拡散係数は、一般的に10-8〜10-12 m2/sと考えられているため、揮発性物質の拡散係数Ddを1×10-8，5×10-9，1×10-9 m2/sとし、実験結果を本予測式により計算し、本予測式の左項と右項の関係を図１３に示した。【００３７】
図１３から、揮発性物質の拡散係数Ddの違いにより、左項と右項の値には差が出ているが、比例関係にあることが分かる。【００３８】
また、揮発性物質の拡散係数Ddが1×10-9 m2/sの場合、左項と右項の値がほぼ一致する結果となった。【００３９】
粘度が低いｎ−ヘキサン−ポリエチレン系では、拡散係数Ddを1×10-9 m2/sとすることが妥当であることが判明した。【００４０】
（ｂ）バレルとスクリュの隙間，およびスクリュ間の隙間に部分的に薄膜が形成される場合（ポリマー溶液粘度が高く，充満効率β，γが変化する場合）
上記（ａ）で求めた粘度が低いｎ−ヘキサン−ポリエチレン系の拡散係数Ddを1×10-9 m2/sを使用すると、充満効率を低下させることで本予測式の左項と右項の値がかけ離れることは明確である。そこで，拡散係数Ddを一般的な拡散係数の上限値1×10-8 m2/sとし，ポリマー溶液充満効率βを0.1，0.5，1として、本予測式の左項と右項の関係を図１４に示した。【００４１】
図１４から、ポリマー溶融充満効率βが0.5以上では、左項と右項の値の差は大きく、ポリマー溶液充満効率βが0.1〜0.5であれば比較的左項と右項の値が一致する結果となった。【００４２】
このことは，粘度が高い場合，薄膜形成状態が実際には５割以下であることを示唆している。【００４３】
これら結果より、本予測式は、ポリマーからの揮発性物質の拡散係数やポリマー溶液の粘度による充満効率を考慮すれば適応性が高いものと考えられる。【００４４】
続いて、脱揮性能予測手段１０２における脱揮性能の予測方法の詳細について説明する。【００４５】
本実施の形態による脱揮性能予測装置Ｍにおける脱揮性能予測手段１０２での脱揮性能の予測とは、脱揮能力の予測（すなわち、脱揮後の非揮発性物質溶液に残存する揮発性物質の濃度ＣLの予測）に相当するものである。【００４６】
具体的に、脱揮性能予測手段１０２では、以下の（ａ）〜（ｅ）の因子、
（ａ）揮発性物質，非揮発性物質、揮発性物質を含有した非揮発性物質溶液の特性因子：Ｃ0，Ｃ*，Ｄｄ，ρ
（ｂ）スクリュおよびバレルの形状因子：Ｌ，Ｌ2，ｎ
（ｃ）二軸スクリュ押出機における運転条件：Ｎ，Ｑ
（ｄ）上記（ｂ）および（ｃ）における合同因子：Ｋ1，Ｋ2，Ｋ3
（ｅ）上記（ａ）〜（ｃ）における合同因子（すなわち、運転条件におけるスクリュとバレルの間に形成される原料溶液の形成状態および流動状態）：Ｓ1，Ｓ2，Ｓ3，β，γ
を式（５）に対して、「原料の入口条件」，「原料特性」，「スクリュ形状（寸法）」，「バレル構成（寸法）」および「運転条件」として代入することにより、脱揮後の揮発性物質濃度ＣL（出口条件）（二軸スクリュ押出機での脱揮処理における脱揮性能に相当）を予測する。【００４７】
図１５は、本実施の形態による脱揮性能予測装置Ｍにおける処理（脱揮性能予測方法）の流れについて説明するためのフローチャートである。【００４８】
流動状態算出部１０１は、揮発性物質を含有する非揮発性物質の溶液を搬送するスクリュ２００上における脱揮処理の対象となる脱揮領域６００に存在する該溶液の流動状態に関する情報を、該スクリュ溝における搬送方向上流側の溝面上に存在する溶液７００と、スクリュ２００とバレル１００の隙間に存在する溶液８００と、該スクリュ溝における搬送方向下流側の溝面上に存在する溶液９００との流動状態に基づいて算出する（流動状態算出ステップ）（Ｓ１０１）。【００４９】
脱揮性能予測手段１０２は、スクリュ２００上に存在する溶液の流動状態に基づいて算出される流動状態に関する情報に基づいて、脱揮処理における脱揮性能を予測する（脱揮性能予測ステップ）（Ｓ１０２）。【００５０】
なお、具体的には、Lを脱揮領域（６００）における揮発性物質を含有する非揮発性物質溶液の流路長さ、L2を脱揮領域のスクリュ軸方向における長さ、C0を脱揮領域入口における揮発性物質濃度、C*を脱揮が行なわれる圧力温度条件下の揮発性物質と非揮発性物質の気液平衡濃度、CLを脱揮後の揮発性物質濃度、K1を脱揮領域で滞留する時間内に表面更新流で形成される暴露表面の長さと表面更新を考慮しない形状における暴露表面長さとの比率、K2をバレル（１００）とスクリュ（２００）の隙間の平均流速により暴露表面が更新される時間と脱揮領域で滞留する時間との比率、K3をスクリュ噛合部における周速により暴露表面が更新される時間と脱揮領域で滞留する時間との比率、ρを揮発性物質を含有する非揮発性物質の溶液密度、S1をスクリュ溝に充満している揮発性物質を含有する非揮発性物質溶液の充満率を考慮し且つ表面更新を考慮しない形状における暴露表面長さ、S2をバレル内表面長さ、S3をスクリュ溝における溶液が充満していない部分の総括長さ、Ddを揮発性物質を含有した非揮発性物質の溶液中における揮発性物質の拡散係数、Nをスクリュ回転速度、ｎをスクリュフライト条数、βをバレル（１００）とスクリュ（２００）の隙間に形成される溶液の薄膜の形成効率、γをスクリュ溝における溶液が充満していない部分に形成される溶液の薄膜の形成効率、Qを全体処理量とするとき、
Ln(C0-C*)/(CL-C*)＝(K1(2n-1)ρS1L(DdN)1/2＋βK2ρS2L2(DdN)1/2＋γK3ρS3L(DdN)1/2)/Q  ・・・（５）
に基づいて、脱揮処理における脱揮性能を予測する。【００５１】
なお、ここでのスクリュ溝における搬送方向上流側の溝面上に存在する溶液７００の流動状態、スクリュ２００とバレル１００の隙間に存在する溶液８００の流動状態、スクリュ溝における搬送方向下流側の溝面上に存在する溶液９００の流動状態については、上述の式（６）〜式（１３）と同様の式を用いて算出する。【００５２】
上述の脱揮性能予測装置Ｍでの処理における各ステップは、ＭＥＭＯＲＹ８０２に格納されている脱揮性能予測プログラムをＣＰＵ８０１に実行させることにより実現されるものである。【００５３】
このように、本実施の形態によれば、Ｌａｔｉｎｅｎのモデル式を活用したスクリュ式押出機の脱揮性能予測における課題を解決するために、揮発性物質を含有した非揮発性物質溶液が輸送スクリュにより非充満状態で輸送されているとき、バレルとスクリュに形成される揮発性物質を含有した非揮発性物質溶液の流動挙動を考慮し、単位時間あたりのバレルとスクリュ溝に存在する溶液の充満形成状態を、スクリュフライト直角断面で流動形態の違う３つの形状に分類した新しいモデルを構築し、それぞれの流動形態を検討し新しく表面更新効率を導入した、より適応性の高い脱揮性能予測方法を提供することができる。【００５４】
本発明を特定の態様により詳細に説明したが、本発明の精神および範囲を逸脱しないかぎり、様々な変更および改質がなされ得ることは、当業者には自明であろう。
【産業上の利用可能性】
【００５５】
以上に詳述したように本発明によれば、二軸スクリュ押出機での脱揮性能の予測において、適応性が高く、より正確な脱揮性能予測を実現することのできる技術を提供することが可能となる。
【図１】
2008035541.tif 000003
【図２】
2008035541.tif 000004
【図３】
2008035541.tif 000005
【図４】
2008035541.tif 000006
【図５】
2008035541.tif 000007
【図６】
2008035541.tif 000008
【図７】
2008035541.tif 000009
【図８】
2008035541.tif 000010
【図９】
2008035541.tif 000011
【図１０】
2008035541.tif 000012
【図１１】
2008035541.tif 000013
【図１２】
2008035541.tif 000014
【図１３】
2008035541.tif 000015
【図１４】
2008035541.tif 000016
【図１５】
2008035541.tif 000017
【図１６】
2008035541.tif 000018
【国際調査報告】
2008035541.tif 000019
2008035541.tif 000020
2008035541.tif 000021
2008035541.tif 000022